(57)【要約】【課題】  写実性に富み、リアル感に溢れ、重量感、質感も良好なものとし、また飾り果実体との結合一体化によって取り扱いも容易にし、御幣、四方紅等の縁起物、切餅をも収納できるようにする。【解決手段】  供え餅の外形を呈し、着脱自在な蓋部材２によって底部を開閉させる中空な容器本体１と、この容器本体１の上部に載置固定し、所定の果実の外形を呈する飾り果実体１０とから成る。容器本体１は、飾り果実体１０を固定させる固定孔５を上部に開穿し、この容器本体１に比し大きい例えば丸餅Ｓ上に載置し、重ね飾り餅とする。飾り果実体１０は、飾り果実体１０上部に突設した嵌合突部１３に嵌め合わせる葉部１２を有し、また固定孔５に挿入する固定ピン部１１を底部に設け、この固定ピン部１１は容器本体１内への挿入部分が容器本体１内部で溶融一体化するようにする。【選択図】      図２
2006255240.tif 000002
【特許請求の範囲】
【請求項１】
供え餅の外形を呈し、着脱自在な蓋部材によって底部が開閉される中空な容器本体と、この容器本体の上部に載置固定され、所定の果実の外形を呈する飾り果実体とから成ることを特徴とする模擬果実一体式の飾り容器。
【請求項２】
容器本体は、飾り果実体を固定させる固定孔を上部に開穿して成る請求項１に記載の模擬果実一体式の飾り容器。
【請求項３】
容器本体は、この容器本体に比し大きい丸餅上に載置されるようにしてある請求項１または２に記載の模擬果実一体式の飾り容器。
【請求項４】
容器本体は、大小の供え餅を重ねた重ね餅の外形を呈している請求項１または２に記載の模擬果実一体式の飾り容器。
【請求項５】
飾り果実体は、上部に葉部が飾られていて、容器本体に開穿してある固定孔に挿入される固定ピン部を底部に設けてある請求項１乃至４のいずれかに記載の模擬果実一体式の飾り容器。
【請求項６】
固定ピン部は、容器本体の固定孔に挿入され、その挿入部分が容器本体内部で溶融されるようにしてある請求項５に記載の模擬果実一体式の飾り容器。
【請求項７】
飾り果実体の葉部は、飾り果実体上部に突設した嵌合突部に嵌め合わせられている請求項５または６に記載の模擬果実一体式の飾り容器。
【発明の詳細な説明】
【技術分野】
【０００１】
本発明は例えば正月、祝い事その他の祭事に際し飾り付けられるお供え餅として、飾り用の蜜柑の如き飾り果実を模した模擬果実が一体的に連結された状態で、例えば丸餅上に直接に載置されることで、重ね餅様となって使用される模擬果実一体式の飾り容器に関する。
【背景技術】
【０００２】
従来から正月や祝い事等に際し、飾り重ね餅が用いられており、その飾りには大小の円形状のお供え餅を２段に重ね、その上に蜜柑等の果実を飾りに置いている。その飾りのための果実代用品として例えば特許第３０１０２８６号に係る飾り果実が提案されており、これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔内への必要以上の挿入が規制され、あたかも実際の飾り果実様の趣を呈するようになる。
【０００３】
また特開２００４−３４５３５号公報に係る飾り用模擬果実及びその製造方法が提案されており、これは底部に開口がある凹所を備えた中実状の飾り果実本体と、凹所の開口を強制的に閉塞する有底筒状の蓋部材と、飾り果実本体の頂部に突設形成した連繋突体に被せられる柄体とを備えて成り、また底部に開口がある凹所を備えた中実状の飾り果実本体を射出成形によって形成する一方、凹所内に嵌め入れられるよう射出成形によって形成した有底筒状の蓋部材を熱収縮前の飾り果実本体の凹所内に強制的に嵌め入れ、また、飾り果実本体の頂部に突設形成した連繋突体に柄体を被せることで製造するとする。
【０００４】
一方、特許第２９３４８７３号としてプラスチック製の重ね餅形状の容器に飾り用の重ね果実を接着した飾り重ね餅が提案されている。これは容器の上部に手で引き剥がす際に略全ての接着剤が重ね果実と共に剥離され、重ね餅の表面が滑面となるよう容器と接着剤の素材が設定されているとする。
【０００５】
また同様に特許第２９６１１４１号として提案された飾り重ね餅は、プラスチック製の重ね餅形状の容器内に餅を詰入すると共に、ミカンを表現したプラスチック製の重ね果実を重ね餅の上部に重ねておき、一部が重ね餅に当接するプラスチック製の透視できるカバー体を重ね果実に着脱自在に被せ、更に箱体内に収納して成る。
【０００６】
更に同様に特許第３３６９５２２号として提案された飾り重ね餅は、餅を収納したプラスチック製の重ね餅形状に形成した容器の下部開口部を貼着したフィルムにて閉塞し、三方を模した台部材に係止させるとし、容器上に置かれる重ね果実を、容器の上部及び重ね果実全体を被嵌状態でカバー体によって覆うものとして成る。
【特許文献１】特許第３０１０２８６号公報
【特許文献２】特開２００４−３４５３５号公報
【特許文献３】特許第２９３４８７３号公報
【特許文献４】特許第２９６１１４１号公報
【特許文献５】特許第３３６９５２２号公報
【発明の開示】
【発明が解決しようとする課題】
【０００７】
ただ、これらの従来提案の飾り果実は、特許文献１によれば実際上はブロー成形によって果実本体を形成するために内部が中空で、軽量に形成されるから重量感がなく、見た目にも質感が乏しくなる。そればかりでなく、ブロー成形特有の金型の合わせ面で生じるいわゆるバリのために若干の不体裁な感じがあり、またそのバリが取り扱う者の手指等を傷つけることもあり、危険なものであった。しかも果実本体自体は中空であるために外部からの外力、衝撃等によっては部分的に凹むような潰れが生じることもあり、軽量であるが故にお供え餅等の上に置いた飾り時に簡単に落下してしまうこともあった。更には柄自体は果実本体の挿入孔に挿入するに際し、必要以上の挿入は挿入規制部によって阻止はされても、挿入後の柄の握持部を摘んで取り扱う場合に、柄を強く引いたときには果実本体から抜けることもあった。また特許文献２によれば、基本的にはインジェクション成形によって構成するから特許文献１におけるような欠点は解消できても、果実本体、蓋部材等を形成する成形材料がやや多くなり、僅かでも若干割高になるものであった。
【０００８】
一方、特許文献３乃至５による餅収納用容器と重ね果実とが一体性となる飾り重ね餅は、接着剤使用の特許文献３では一体性と剥離性とのバランスを微妙に設定するホットメルト接着剤を選定するにつき難点がある。また特許文献４では例えば陳列時で多数段に重ねたとき、ブロー成形による重ね果実の脆弱性による破損を防止可能であるも、これは箱体を使用して多段陳列形態とするから、容積的に嵩張る箱体を使用しないでランダムな状態で陳列販売する場合には不適当である。特許文献５では透明カバー体で覆うことでミカン付の重ね餅のように見える見栄えがよい商品性に秀れたものとなるとするも、カバー体の重ね餅に対する覆い作業が必要となって手間がかかり、カバー体の存在によって商品体裁がかえって悪いものとなる。
【０００９】
そこで本発明は叙上のような従来存した諸事情に鑑み創出されたもので、写実性に富むようリアル感に溢れ、重量感、質感も良好なミカンの如き飾り果実を一体化したものとして、例えば丸餅上に直接に載置されることで重ね餅状の重ね飾り餅となって使用され、あるいは切餅が収納される重ね餅の外形を呈する容器本体とともにそのまま重ね飾り餅のものとして使用され、しかも飾り用の飾り果実体との強固な一体性のもとで一層の写実性に富んだものとし、また御幣、四方紅等の縁起物類、餅材等をも簡単に収納保管しておくことができると共に、成形材料が少なくて済み、取り扱いも容易である模擬果実一体式の飾り容器を提供することを目的とする。
【課題を解決するための手段】
【００１０】
上述した課題を解決するため、本発明にあっては、供え餅の外形を呈し、着脱自在な蓋部材２，２２によって底部が開閉される中空な容器本体１，２０と、この容器本体１，２０の上部に載置固定され、所定の果実の外形を呈する飾り果実体１０とから成ることを特徴とする。
また、容器本体１，２０は、飾り果実体１０を固定させる固定孔５を上部に開穿して成り、更には、この容器本体１自体に比し大きい丸餅Ｓの上に載置されるようにして構成することができ、あるいは容器本体２０は、大小の供え餅を重ねた重ね餅の外形を呈するものとして構成することもできる。
一方、飾り果実体１０は、上部に葉部１２が飾られていて、容器本体１に開穿してある固定孔５に挿入される固定ピン部１１を底部に設けてあり、また固定ピン部１１は、容器本体１，２０の固定孔５に挿入され、その挿入部分が容器本体１，２０内部で溶融されるようにして構成することができる。
飾り果実体１０の葉部１２は、飾り果実体１０上部に突設した嵌合突部１３に嵌め合わせられて構成することができる。
【００１１】
以上のように構成された本発明に係る模擬果実一体式の飾り容器にあって、中空な容器本体１，２０の上部に、固定ピン部１１の固定孔５に対する挿入で飾り果実体１０を容器本体１，２０と一体的に連結固定させ、容器本体１，２０と飾り果実体１０とが分離、解体されるのを阻止し、その一体性で取り扱い等を容易にさせる。
このとき、容器本体１の丸餅Ｓ上への載置は、重ね餅様の形態となり、全体として重ね餅の上部に飾り果実が載置された供え餅状を呈し、また容器本体２０が重ね餅状であるときは、切餅等の餅材Ｒを収納させた状態でそのままの重ね飾り餅として使用させる。
飾り果実体１０における固定ピン部１１の容器本体１，２０の固定孔５への挿入は、容器本体１，２０上に飾り果実体１０を所定位置で位置決めさせ、固定ピン部１１の容器本体１，２０内への挿入部分の溶融は飾り果実体１０を容器本体１，２０に強固に一体化させ、外部からの衝撃、振動等によっても両者を分離させない。
飾り果実体１０の上部における嵌合突部１３への葉部１２の嵌め合わせは、葉部１２を飾り果実体１０に一体化させて写実性を向上させる。
容器本体１，２０の底部における着脱自在な蓋部材２，２２は、中空な容器本体１，２０内に収納した例えば御幣、四方紅等の縁起物類、更には切餅等の餅材Ｒを取り出させ、また閉塞して収納保管させる。
【発明の効果】
【００１２】
本発明は以上のように構成されているため、供え餅状を呈する容器本体１，２０上に写実性に富むようリアル感に溢れ、重量感、質感も良好な飾り果実体１０を一体状に固定連結することができ、また一般的な丸餅Ｓ上に載置することで全体として重ね餅状の、また重ね餅を呈するときは内部に餅材Ｒ等を収納した重ね飾り餅となる。すなわち、供え餅状を呈する容器本体１，２０と飾り用の飾り果実体１０との強固な一体性のもとで一層の写実性に富んだものとし、また中空な容器本体１内に御幣、四方紅、餅材Ｒ等を収納保管させておくことができ、取り扱いも容易なものとできる。
【００１３】
これはすなわち、本発明において、供え餅の外形を呈し、着脱自在な蓋部材２，２２によって底部が開閉される中空な容器本体１，２０と、この容器本体１，２０の上部に載置固定され、所定の果実の外形を呈する飾り果実体１０とから成るものとしたからであり、容器本体１と飾り果実体１０との一体性で取り扱い、堅牢性等を一層向上できる。
【００１４】
また、容器本体１，２０は、飾り果実体１０を固定させる固定孔５を上部に開穿して成り、この固定孔３には、飾り果実体１０の固定ピン部１１を嵌め合わせるから、容器本体１，２０上に飾り果実体１０を所定位置で位置決め固定させることができ、しかも容器本体１，２０と飾り果実体１０との一体化で取り扱いその他を容易にさせることができる。このとき、容器本体１，２０の固定孔５に挿入された、固定ピン部１１の挿入部分が容器本体１，２０内部で溶融（焼き止め）され、容器本体１，２０と一体化されることで、容器本体１，２０からの飾り果実体１０の分離、解体等を確実に阻止できる。そればかりでなく、例えば販売陳列時における乱雑な取り扱い等によっても両者は分離、解体されず、円滑に作業を行うことができる。
【００１５】
また、容器本体１，２０の底部には着脱自在な蓋部材２，２２が設けられているから、容器本体１，２０内に例えば御幣、四方紅、餅材Ｒ等を収納保管しておくことができ、蓋部材２，２２の開閉でこれらの各種の収納品等を容易に取り出すことができると共に、その収納保管を容易にさせることができる。
【００１６】
更に、容器本体１，２０上に載置される飾り果実体１０に挿入する嵌合突部１３には、葉部１２が嵌め合わせられるから、模擬果実の一層の写実性を富ましめるものとなり、例えば供え餅の頂部に置いても何らの遜色もなく、実際の果実が置かれた印象を与える。
【００１７】
容器本体１が１個の供え餅状の外形を呈するとき、これが丸餅Ｓ上に載置されることで全体として重ね餅状と飾り重ね餅として使用でき、また御弊、四方紅等を収納保管しておくのに便利である。
【００１８】
容器本体２０が２段の重ね餅状の外形を呈するとき、これをそのまま飾り重ね餅として使用でき、また内部には切餅等の餅材Ｒを収納保管しておくことで、後日に供食可能なものとできる。
【００１９】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００２０】
以下図面を参照して本発明を実施するための最良の一形態を説明すると、図１，図２において示される符号１は例えば乳白色を呈する合成樹脂にて形成された中空状の容器本体である。この容器本体１は内部に例えば御幣、四方紅、更には切り餅等を封入させるに足りる容積を備え、大小の供え餅を上下２段に重ねた状態にあるときの上段に配置される小径・小型の供え餅の外形を呈するように例えばブロー成形等の所定の成形方法によって形成されている。また容器本体１自体は、底部に後述する着脱自在な蓋部材２によって開閉される開口部３を備え、上部に後述する飾り果実体１０を嵌め込み式に固定させるようにした固定孔５が開穿されている。
【００２１】
開口部３は、容器本体１内に御幣、四方紅等を封入した状態で蓋部材２によって閉塞され、円形、矩形等の所定形状で開口されている。図例にあっては、開口縁の内側に容器本体１内方に突条状に突設形成された係止条部４が設けられていて、開口部３にやや強制的に嵌め込まれて、容器本体１の内方側に窪んだ状態で湾曲される蓋部材２が係止条部４に係止されることで容器本体１が閉塞されるようにしてある。尚、蓋部材２の形状は開口部３形状に対応して円形、矩形等の所定形状に形成されていることは勿論である。
【００２２】
また、飾り果実体１０は、外形がお供え餅の飾りとなるように所定の果実例えばミカン形状を呈するものとして中空状に例えばブロー成形によって合成樹脂にて形成されており、容器本体１上に、この容器本体１に一部が嵌め合わせられることで固定連結されるようにしてある。すなわち、この飾り果実体１０は、果実体の外形を呈し、底部に容器本体１の固定孔５に嵌め入れ好ましくは強制的にでも嵌め入れられる固定ピン部１１を設けると共に、上部に葉部１２を嵌め合わせ連結する嵌合突部１３を突設形成して成る。
【００２３】
固定ピン部１１は容器本体１の固定孔５に挿入され、その挿入部分が容器本体１内部で接着あるいは溶融（焼き止め）されるようにすることができる。すなわち、容器本体１内に挿入された固定ピン部１１の挿入部分を容器本体１内で加熱溶融して半ばフランジ状に圧潰するようにして固定孔５の周縁部分と一体化する。こうすることで、容器本体１壁部分を内外で挟み込むようにした連繋固定状態とさせて一層の固定一体化を図れるようにしている。また接着によることでも強固な一体性を図ることができる。
【００２４】
この飾り果実体１０において、飾り果実体１０自体は実際上の例えばミカン表面における細かい凹凸模様が付されて、表面はミカン色を呈するように着色されており、必要に応じて例えば頂部及びその近傍等が部分的に緑色が付されることもある。また成型時に生じ得る金型ラインのバリ等は例えば切削等によって除去されている。
【００２５】
葉部１２は、飾り果実体１０の上部に形成した嵌合突部１３に嵌め合わせる嵌合孔を有し、実際上の葉を模した形態とされていて、嵌合突部１３に嵌め合わせたときには飾り果実体１０本体としっかりと一体化されるようにしてある。嵌合突部１３に対する嵌め合わせ時には、場合によっては嵌合突部１３の上端を溶融したり、接着剤等を使用したりして強固な一体性を図るようにしてあってもよい。また、この葉部１２の基部である嵌合孔近傍の底部に蔕部を形成することもでき、この蔕部によって嵌合突部１３を隠蔽することで体裁を一層良好なものとさせる。
【００２６】
次にこれの組立の一例を図２によって説明すると、飾り果実体１０を、その固定ピン材１１を容器本体１の固定孔５に嵌め入れることで、更には必要であれば加熱溶融してその挿入部分を圧潰して容器本体１内部で一体化する一方、飾り果実体１０の上部で嵌合突部１３に葉部１２を嵌め合わせることで、重ね状の供え餅の上段部分を呈する容器本体１に飾り果実体１０を結合する。次いで容器本体１内に御幣、四方紅等の所定の縁起物を収納し、蓋部材２によって閉塞する。その後、重ね状の供え餅の下段部分となる一般的な丸餅Ｓ上に載置し、重ね餅状の重ね飾り餅とする。使用に際し、通常のお供え餅として飾り、また蓋部材２を取り外して容器本体１内部から御幣等を取り出し、飾り付ければよい。
【００２７】
図３には別の実施の形態が示されており、この実施の形態においては、容器本体２０が大小の丸餅を重ねた重ね餅の外形を呈するものとして形成されている。そして、この容器本体２０上部に開穿された固定孔５に挿入する固定ピン部１１によって飾り果実体１０が連結固定されるのは先の実施の形態におけるものと同様であるので、その詳細な説明は省略する。
【００２８】
この図３における蓋部材２２は、開口部２１の内周縁に嵌め入れられる扁平な有底筒状の蓋本体部分の開口縁に、開口部２１の外側面周縁部分に当接する鍔状の当接フランジ部２３を形成したもので、好ましくは蓋本体部分で開口部２１にやや強制的に嵌め入れられ、当接フランジ部２３を摘むことで、容器本体２０から取り外すことができ、開放できるようにしてある。
【００２９】
これの使用に際しては図３に示すように、容器本体２０内に切餅等の餅材Ｒを収納しておいて、そのままで通常のお供え餅となる重ね飾り餅として飾り、また蓋部材２２の取り外しによる容器本体２０の開放で、収納してある餅材Ｒを取り出し、供食すればよい。
【図面の簡単な説明】
【００３０】
【図１】本発明を実施するための最良の一形態を示す一部切欠の分解斜視図である
【図２】同じく使用状態における断面図である。
【図３】同じく他の実施の形態における断面図である。
【符号の説明】
【００３１】
Ｒ…餅材                                Ｓ…丸餅
１…容器本体                            ２…蓋部材
３…開口部                              ５…固定孔
１０…飾り果実体                        １１…固定ピン部
１２…葉部                              １３…嵌合突部
２０…容器本体                          ２１…開口部
２２…蓋部材                            ２３…当接フランジ
【図１】
2006255240.tif 000003
【図２】
2006255240.tif 000004
【図３】
2006255240.tif 000005